(57)【要約】【課題】ユーザが煩わしい操作を行うことなく、複数の鍵を用いて錠の開閉を行う。【解決手段】通信部１０４は、鍵部１０３から送信された鍵ＩＤを受信すると、この鍵ＩＤを認証部１０５に送信する。認証部１０５は、重み付けテーブルを参照して、受信した各々の鍵ＩＤに重み付けをして、各鍵ＩＤの重み付けの合計値が、予め定めておいた閾値以上になれば認証成功とする。錠操作部１０８は、認証部１０５が認証成功したときに、錠部１０１の状態を施錠状態から開錠状態へ、又は開錠状態から施錠状態へ変化させる。【選択図】        図１
2005042350.tif 000002
【特許請求の範囲】
【請求項１】
鍵固有信号を発信する少なくとも１つの鍵装置と、
錠部と、
前記鍵装置で発信された鍵固有信号を受信する受信手段と、
登録された鍵装置の鍵固有信号毎に重要度を示す重み付けを記憶する重み付け記憶手段と、
前記受信手段により受信された鍵装置の鍵固有信号に対応する重み付けを前記重み付け記憶手段から読み出して、読み出した鍵固有信号毎の重み付けに基づいて、認証成功か否かを判定する認証手段と、
前記認証手段によって認証成功と判定されたときに、前記錠部の状態を施錠状態から開錠状態に、又は開錠状態から施錠状態に操作する錠操作手段と、
を備えた錠制御システム。
【請求項２】
鍵装置の鍵固有信号が登録される毎に、登録された鍵装置の鍵固有信号毎の登録回数を記憶する登録回数記憶手段を更に備え、
前記重み付け記憶手段は、前記登録回数記憶手段に記憶された鍵固有信号毎の登録回数に応じた値を、前記鍵固有信号毎の重み付けとして記憶する
請求項１に記載の錠制御システム。
【請求項３】
前記登録回数記憶手段に記憶された登録回数について１つ以上の閾値を設け、閾値ごとに重み付けを設定し、鍵固有信号毎に登録回数と閾値を比較することによって鍵固有信号毎に重み付けを算出する重み付け算出手段を更に備え、
前記重み付け記憶手段は、前記重み付け算出手段により算出された鍵固有信号毎の重み付けを記憶する
請求項２に記載の錠制御システム。
【請求項４】
前記認証手段は、前記重み付け記憶手段に記憶されている全部の重み付けの合計値の所定割合の値を閾値とし、前記重み付け記憶手段から読み出された１つ以上の重み付けの合計値が前記閾値以上になったときに、認証成功と判定する
請求項１から請求項３のいずれか１項に記載の錠制御システム。
【請求項５】
前記認証手段は、前記重み付け記憶手段から読み出された２つ以上の重み付けの合計値が前記閾値以上になったときに、認証成功と判定する
請求項３に記載の錠制御システム。
【請求項６】
１つ以上の鍵装置から発信された鍵固有信号に基づいて、錠部の状態を制御する錠制御装置であって、
前記鍵装置で発信された鍵固有信号を受信する受信手段と、
登録された鍵装置の鍵固有信号毎に重要度を示す重み付けを記憶する重み付け記憶手段と、
前記受信手段により受信された鍵装置の鍵固有信号に対応する重み付けを前記重み付け記憶手段から読み出して、読み出した鍵固有信号毎の重み付けに基づいて、認証成功か否かを判定する認証手段と、
前記認証手段によって認証成功と判定されたときに、前記錠部の状態を施錠状態から開錠状態に、又は開錠状態から施錠状態に操作する錠操作手段と、
を備えた錠制御装置。
【請求項７】
鍵固有信号を記憶する鍵固有信号記憶手段と、
前記鍵固有信号が錠制御装置に登録されたことを検知する検知手段と、
前記検知手段が検知する毎に、前記鍵固有信号の登録回数を計数する計数手段と、
前記計数手段により計数された登録回数を記憶する登録回数記憶手段と、
前記鍵固有信号記憶手段に記憶された鍵固有信号と、前記登録回数記憶手段に記憶された登録回数と、を錠制御装置に送信する送信手段と、
を備えた鍵装置。
【請求項８】
鍵装置の鍵固有信号が登録される毎に、登録された鍵装置の鍵固有信号毎の登録回数を記憶する登録回数記憶手段を更に備え、
前記重み付け記憶手段は、前記登録回数記憶手段に記憶された鍵固有信号毎の登録回数に応じた値を、前記鍵固有信号毎の重み付けとして記憶する
請求項６に記載の錠制御装置。
【請求項９】
前記登録回数記憶手段に記憶された登録回数について１つ以上の閾値を設け、閾値ごとに重み付けを設定し、鍵固有信号毎に登録回数と閾値を比較することによって鍵固有信号毎に重み付けを算出する重み付け算出手段を更に備え、
前記重み付け記憶手段は、前記重み付け算出手段により算出された鍵固有信号毎の重み付けを記憶する
請求項８に記載の錠制御装置。
【請求項１０】
前記認証手段は、前記重み付け記憶手段に記憶されている全部の重み付けの合計値の所定割合の値を閾値とし、前記重み付け記憶手段から読み出された１つ以上の重み付けの合計値が前記閾値以上になったときに、認証成功と判定する
請求項８または請求項９に記載の錠制御装置。
【請求項１１】
前記認証手段は、前記重み付け決定手段により決定された２つ以上の重み付けの合計値が前記閾値以上になったときに、認証成功と判定する
請求項１０に記載の錠制御装置。
【発明の詳細な説明】
【０００１】
【発明の属する技術分野】
本発明は、錠制御システム、錠制御装置、及び鍵装置に係り、特に、１つ以上の鍵を用いて錠の開閉を制御する錠制御システム、錠制御装置、及び鍵装置に関する。
【０００２】
【従来の技術】
従来、扉は、鍵を用いて施錠、開錠されるのが一般的であった。扉の施錠、開錠は、手にもった鍵を錠部の鍵穴へ挿入し、鍵を押したりまわしたりする動作によりおこなっていた。
【０００３】
しかし、鍵を鍵穴へ挿入したり、鍵を回したり押したりする動作を行うことは、視力や腕の機能が低下している人にとっては難しいという問題があった。特に、高齢者には、若者に比べて視力や腕の機能が低下している人が多いので、上記の問題は、特に高齢者にとって、解決しなければならない問題であった。
【０００４】
この問題を解決するために、無線機能を持った鍵部と、鍵部からの信号を受信し、錠部の施錠、又は開錠操作を行う錠制御部と、錠部からなる、住居出入口用錠操作システムが提案されている（例えば、特許文献１を参照。）。
【０００５】
上記住居出入口用錠操作システムの動作を簡単に説明する。利用者が鍵部のスイッチを押すと、鍵部は鍵部固有の信号を錠制御部へと発信する。錠制御部は、鍵部からの信号を受信すると、この信号が錠部を操作する権利を持った鍵部からのものかどうかを判定する。そして、錠制御部は、錠部を操作する権利を持った鍵部からの信号であると判定した場合、錠部の状態を、施錠状態から開錠状態へ、又は、開錠状態から施錠状態へ変化させる。
【０００６】
このシステムを使うことにより、システムの利用者は従来の鍵を用いることなく、楽にドアの施錠、開錠を行うことができる。さらに、離れた所から鍵部のスイッチを押すことにより、同じ形の扉の中から鍵部に対応した扉を容易に見つけることができる。
【０００７】
【特許文献１】
特開２００１−１３２２９３号公報
【０００８】
【発明が解決しようとする課題】
上記システムの応用として、錠の操作に複数の鍵を利用することが考えられる。無線鍵を複数用意し、すべての鍵が揃った場合、もしくは過半数の鍵が揃った場合のみ、錠の操作が可能であるシステムである。鍵を複数用意することによって、鍵を落とした場合でも、それが過半数以下であるならば錠を操作できる。
【０００９】
錠の操作に複数の鍵を利用した場合、鍵の重み付けを人手によって行うことができれば、利便性が向上する。例えば、なくしにくい鍵の重み付けをなくしやすい鍵より重くすれば、たとえなくしやすい鍵をすべて無くした場合でも、なくしにくい鍵さえ持っていれば錠の操作を行うことができる。
【００１０】
しかしながら、複数の鍵を用いた錠操作システムにおいて、人手によって鍵の重み付けをおこなうことは、以下のような問題がある。
【００１１】
第１に、ユーザが無線鍵として利用する鍵の重み付けを行うことは非常にわずらわしい、という利便性の問題がある。さらに、利用する鍵の数が増えた場合、すべての鍵に重み付けを人手によって行うことは、現実的には不可能になる。
【００１２】
第２に、ユーザの手によって鍵の重み付けを行った場合、ユーザの主観に基づいて鍵の重み付けがなされてしまい、適当に鍵の重み付けを設定できるかという問題がある。また、「ユーザが無くさないと思う鍵」と「実際に無くさない鍵」は違うことが多い。よって、人手によって鍵の重み付けがなされると、「実際には無くしやすい鍵であるのにもかかわらず、重み付けを重くしてしまう」といった間違いが生じる可能性がある。
【００１３】
本発明は、上述した課題を解決するために提案されたものであり、ユーザが煩わしい操作を行うことなく、複数の鍵を用いて錠の開閉を行うことができる錠制御システム、錠制御装置、及び鍵装置を提供することを目的とする。
【００１４】
【課題を解決するための手段】
本発明に係る錠制御システムは、鍵固有信号を発信する少なくとも１つの鍵装置と、錠部と、前記鍵装置で発信された鍵固有信号を受信する受信手段と、登録された鍵装置の鍵固有信号毎に重要度を示す重み付けを記憶する重み付け記憶手段と、前記受信手段により受信された鍵装置の鍵固有信号に対応する重み付けを前記重み付け記憶手段から読み出して、読み出した鍵固有信号毎の重み付けに基づいて、認証成功か否かを判定する認証手段と、前記認証手段によって認証成功と判定されたときに、前記錠部の状態を施錠状態から開錠状態に、又は開錠状態から施錠状態に操作する錠操作手段と、を備えている。
【００１５】
また、本発明に係る錠制御装置は、１つ以上の鍵装置から発信された鍵固有信号に基づいて、錠部の状態を制御する錠制御装置であって、前記鍵装置で発信された鍵固有信号を受信する受信手段と、登録された鍵装置の鍵固有信号毎に重要度を示す重み付けを記憶する重み付け記憶手段と、前記受信手段により受信された鍵装置の鍵固有信号に対応する重み付けを前記重み付け記憶手段から読み出して、読み出した鍵固有信号毎の重み付けに基づいて、認証成功か否かを判定する認証手段と、前記認証手段によって認証成功と判定されたときに、前記錠部の状態を施錠状態から開錠状態に、又は開錠状態から施錠状態に操作する錠操作手段と、を備えている。
【００１６】
鍵装置は、鍵固有信号を有し、鍵固有信号を発信する。なお、この鍵装置は、１つに限らず、２つ以上であってもよい。重み付け記憶手段は、登録された鍵装置の鍵固有信号毎に、重要度を示す重み付けを記憶している。なお、重み付けは、鍵固有信号の登録回数に応じて求めてもよい。
【００１７】
認証手段は、受信手段で受信された鍵固有信号に対応する重み付けを重み付け記憶手段から読み出し、読み出した重み付けに基づいて認証成功か否かを判定する。そして、錠操作手段は、認証成功のときに、前記錠部の状態を施錠状態から開錠状態に、又は開錠状態から施錠状態に操作する。
【００１８】
したがって、本発明に係る錠制御システム及び錠制御装置は、受信された鍵装置の鍵固有信号に対応する重み付けを重み付け記憶手段から読み出して、読み出した重み付けに基づいて認証成功か否かを判定し、認証成功と判定されたときに錠部の状態を施錠状態から開錠状態に、又は開錠状態から施錠状態に操作することにより、複数の鍵装置が存在する場合に、各鍵装置の重要度に応じて重み付けを変えることで、セキュリティレベルを向上させることができる。
【００１９】
本発明に係る鍵装置は、鍵固有信号を記憶する鍵固有信号記憶手段と、前記鍵固有信号が錠制御装置に登録されたことを検知する検知手段と、前記検知手段が検知する毎に、前記鍵固有信号の登録回数を計数する計数手段と、前記計数手段により計数された登録回数を記憶する登録回数記憶手段と、前記鍵固有信号記憶手段に記憶された鍵固有信号と、前記登録回数記憶手段に記憶された登録回数と、を錠制御装置に送信する送信手段と、を備えている。
【００２０】
したがって、本発明に係る鍵装置は、鍵固有信号と、固有信号が登録された登録回数と、を錠制御装置に送信することにより、錠制御装置が各々の鍵装置の固有信号が登録された回数を計数することを省略することができ、錠制御装置の処理の負担を低減することができる。
【００２１】
【発明の実施の形態】
以下、本発明の好ましい実施の形態について図面を参照しながら詳細に説明する。
【００２２】
［第１の実施形態］
図１は、本発明の第１の実施形態に係る錠制御システムの構成を示すブロック図である。
【００２３】
錠制御システムは、一般の錠の機能を持つ錠部１０１と、錠部を制御する機能を持つ錠制御部１０２と、無線機能付きの複数の鍵部１０３ａ，１０３ｂ，１０３ｃと、を備えている。なお、鍵部１０３ａ，１０３ｂ，１０３ｃのうち任意のものを示すときは、単に「鍵部１０３」とする。
【００２４】
錠部１０１は、錠制御部１０２内の後述する錠操作部１０８に接続されている。錠部１０１は、錠操作部１０８からの制御により、施錠状態と開錠状態の２つの状態に変化する。なお、錠部１０１は、一般的な鍵と同様に、手動による施錠、開錠も可能なように構成されている。これにより、ユーザは、停電などで錠制御部１０２に電力が供給されない場合でも、錠の施錠、開錠を行うことができる。
【００２５】
鍵部１０３ａ，１０３ｂ，１０３ｃは、それぞれ固有の鍵ＩＤを記憶している。ここでは、鍵部１０３ａの鍵ＩＤは“１０１２３５”、鍵部１０３ｂの鍵ＩＤは“２３４２１３”、鍵部１０３ｃの鍵ＩＤは“４０５５２５８”とする。鍵部１０３ａ，１０３ｂ，１０３ｃは、認証時、登録時など必要に応じての鍵ＩＤを、錠制御部１０２内の後述する通信部１０４及び鍵ＩＤ組み合わせ登録部１０７に送信する。
【００２６】
錠制御部１０２は、鍵部１０３ａ，１０３ｂ，１０３ｃと通信を行う通信部１０４と、鍵重み付け制御部１０９と鍵ＩＤ組み合わせデータベース部１０６の情報から認証作業を行う認証部１０５と、１つ以上の鍵ＩＤを記憶する鍵ＩＤ組み合わせデータベース部１０６と、鍵ＩＤを鍵ＩＤ組み合わせデータベース部１０６に登録する鍵ＩＤ組み合わせ登録部１０７と、認証成功時に錠部１０１の状態を操作する錠操作部１０８と、鍵部１０３の重要度に応じた重み付けに関する作業を行う鍵重み付け制御部１０９と、を備えている。
【００２７】
図２は、鍵重み付け制御部１０９の詳細な構成を示すブロック図である。
【００２８】
鍵重み付け制御部１０９は、鍵ＩＤの登録回数を記憶しておく鍵ＩＤ登録回数データベース部２０１と、鍵ＩＤの登録回数をカウントする鍵ＩＤ登録回数カウント部２０２と、を備えている。
【００２９】
錠制御部１０２内の通信部１０４は、認証部１０５に接続されている。通信部１０４は、鍵部１０３から送信された鍵ＩＤを受信して、認証部１０５に送信する。
【００３０】
認証部１０５は、通信部１０４、鍵ＩＤ組み合わせデータベース部１０６、錠操作部１０８、鍵ＩＤ登録回数データベース部２０１にそれぞれ接続されている。認証部１０５は、通信部１０４で受信した鍵ＩＤの組み合わせに基づいて、鍵ＩＤ組み合わせデータベース部１０６内のデータと、鍵ＩＤ登録回数データベース部１１０内のデータを参照して、認証作業を行い、認証結果を錠操作部１０８へ送信する。
【００３１】
また、認証部１０５は、鍵ＩＤ組み合わせデータベース部１０６に記憶されている各鍵ＩＤと、鍵ＩＤ登録回数データベース部２０１に記憶されている各鍵ＩＤの登録回数と、に基づいて、鍵ＩＤ毎に重要度に応じた重み付けを算出する。そして、認証部１０５は、登録された鍵ＩＤ毎の重み付けを表した重み付けテーブルを記憶する。なお、認証部１０５は、任意の鍵ＩＤが登録される毎に、重み付けテーブルを更新する。また、認証部１０５は、通信部１０４で受信された鍵ＩＤが送信されると、重み付けテーブルを参照し、送信された鍵ＩＤに対応する重み付けを決定する。そして、認証部１０５は、決定された重み付けを用いて、認証処理を行う。なお、認証処理については詳しくは後述する。
【００３２】
鍵ＩＤ組み合わせデータベース部１０６は、認証部１０５、鍵ＩＤ組み合わせ登録部１０７にそれぞれ接続されている。鍵ＩＤ組み合わせデータベース部１０６は、鍵ＩＤ組み合わせ登録部１０７から送信された鍵ＩＤの組み合わせを記憶する。また、鍵ＩＤ組み合わせデータベース部１０６は、認証部１０５が認証作業を行う際に、認証部１０５に対して鍵ＩＤの組み合わせを開示する。
【００３３】
鍵ＩＤ組み合わせ登録部１０７は、鍵ＩＤ組み合わせデータベース部１０６、鍵ＩＤ登録回数カウント部２０２にそれぞれ接続されている。鍵ＩＤ組み合わせ登録部１０７は、鍵部１０３の鍵ＩＤを鍵ＩＤ組み合わせデータベース部１０６に登録したり、どの鍵部１０３が登録されたかを鍵ＩＤ登録回数カウント部２０２に報知する。なお、鍵ＩＤの登録の手法は、テンキーによる手入力、通信による自動登録など、特に限定されるものではない。
【００３４】
錠操作部１０８は、認証部１０５と錠部１０１にそれぞれ接続されている。錠操作部１０８は、認証部１０５が認証成功したときに、錠部１０１の状態を施錠状態から開錠状態へ、又は開錠状態から施錠状態へ変化させる。
【００３５】
鍵重み付け制御部１０９内の鍵ＩＤ登録回数データベース部２０１は、認証部１０５と鍵ＩＤ登録回数カウント部２０２に接続されている。鍵ＩＤ登録回数データベース部２０１は、鍵ＩＤ登録回数カウント部２０２からの要求に応じて、鍵部１０３の登録回数を記憶する。また、鍵ＩＤ登録回数データベース部２０１は、認証部１０５の要求に応じて、鍵部１０３の登録回数を開示する。
【００３６】
鍵ＩＤ登録回数カウント部２０２は、鍵ＩＤ組み合わせ登録部１０７と鍵ＩＤ登録回数データベース部２０１にそれぞれ接続されている。鍵ＩＤ登録回数カウント部２０２は、鍵部１０３の鍵ＩＤが登録されたことを鍵ＩＤ組み合わせ登録部１０６から報知されると、鍵部１０３の登録回数をカウントする。そして、鍵ＩＤ登録回数カウント部２０２は、カウント値を鍵ＩＤ登録回数データベース部２０１へ記憶させる。
【００３７】
以上のように構成された錠制御システムにおいて、各構成部は、次の手順に従って動作する。
【００３８】
ここで例えば、鍵部１０３ａの鍵ＩＤは“１０１２３５”、鍵部１０３ｂの鍵ＩＤは“２３４２１３”、鍵部１０３ｃの鍵ＩＤは“４０５５２５８”であるとする。
【００３９】
まず、鍵ＩＤ組み合わせ登録部１０７は、予め、鍵部１０３ａ，１０３ｂ，１０３ｃの各々の鍵ＩＤの組み合わせを、鍵ＩＤ組み合わせデータベース部１０６に登録する。
【００４０】
図３は、鍵ＩＤ組み合わせデータベース部１０６に登録されている鍵ＩＤを示す図である。このように、鍵ＩＤ組み合わせデータベース部１０６には、図３に示すように、鍵部１０３ａ，１０３ｂ，１０３ｃの各々の鍵ＩＤが記憶されている。
【００４１】
鍵ＩＤ組み合わせ登録部１０７は、鍵部１０３の鍵ＩＤを鍵ＩＤ組み合わせデータベース部１０６に登録するだけでなく、さらに、鍵部１０３の鍵ＩＤを鍵重み付け制御部１０９内の鍵ＩＤ登録回数カウント部２０２に報知する。
【００４２】
鍵ＩＤ登録回数カウント部２０２は、鍵部１０３の鍵ＩＤが登録されたことを鍵ＩＤ組み合わせ登録部１０７から報知されると、鍵ＩＤ登録回数データベース部２０１内の前記鍵部１０３の登録回数を参照して、最新の登録回数を算出する。そして、鍵ＩＤ登録回数カウント部２０２は、最新の登録回数を再び鍵ＩＤ登録回数データベース部２０１に登録する。
【００４３】
図４は、鍵ＩＤ登録回数データベース部２０１に登録されている鍵部１０３ａ，１０３ｂ，１０３ｃの各々の登録回数を示す図である。図４によると、鍵部１０３ａの登録回数は２回、鍵部１０３ｂ及び鍵部１０３ｃの登録回数は１回（初めて）である。
【００４４】
一方、ユーザは、鍵部１０３を所持したままドアに近づく。鍵部１０３は、錠制御部１０２に近づいた（錠制御部１０２までの距離が所定値以内になった）ことを検知すると、内部に記憶されている鍵ＩＤを錠制御部１０２内の通信部１０４に送信する。鍵部１０３と錠制御部１０２が近づいたことを検知する方法は、特に限定されるものではない。例えば、人による入力であってもよい。また他には、鍵部１０３又は錠制御部１０２の両方又はどちらかが一定時間間隔で発見信号を発信し、互いの距離が所定値以内になったら応答しあうという方法でもよい。
【００４５】
なお、ユーザは、ドアの近くで、登録しておいた複数の鍵部１０３の図示しないスイッチを同時、又は非常に短い期間内にＯＮにしてもよい。すると、鍵部１０３は、錠制御部１０２内の通信部１０４に向かって鍵ＩＤを発信する。
【００４６】
通信部１０４は、受信した１つ以上の鍵部ＩＤを認証部１０５へ送信する。認証部１０５は、受信した鍵ＩＤの組み合わせに基づいて、鍵ＩＤ組み合わせデータベース部１０６と鍵ＩＤ登録回数データベース部２０１の内容を参照して、認証を行う。認証部１０５は、認証に成功したときは、その旨を錠操作部１０８に送信し、錠部１０１を施錠又は開錠する。
【００４７】
ここで、認証部１０５の動作を詳しく説明する。
【００４８】
認証部１０５は、通信部１０４から送信された鍵ＩＤの組み合わせに基づいて、鍵ＩＤ組み合わせデータベース部１０６と鍵ＩＤ登録回数データベース部２０１の内容を参照して認証を行う。認証部１０５は、重み付けテーブルを参照して、受信した各々の鍵ＩＤに重み付けをして、各鍵ＩＤの重み付けの合計値が、予め定めておいた閾値以上になれば認証成功とする。
【００４９】
なお、認証部１０５は、鍵ＩＤ登録回数データベース部２０１の各々の鍵ＩＤに対応する登録回数に基づいて、各々の鍵ＩＤの重み付けを行い、予め重み付けテーブルを作成しておく。
【００５０】
鍵ＩＤの重み付けは、例えば鍵ＩＤの登録回数に比例したものとすると、次のようになる。図４より、鍵部１０３ａ（鍵ＩＤ：１０１２３５）の重み付けは“２”、鍵部１０３ｂ（鍵ＩＤ：２３４２１３）及び鍵部１０３ｃ（鍵ＩＤ：４０５５２５８）の重み付けは“１”となる。なお、重み付けテーブルには、このような鍵ＩＤ毎の重み付けが記述されている。
【００５１】
一方、認証成功と判定するための閾値は、鍵ＩＤ組み合わせデータベース部１０６に登録された全部の鍵ＩＤの重み付けの合計値に対して、５０％の値に設定されているとする。したがって、上記の場合、閾値は次のようになる。
【００５２】
（閾値）＝（２＋１＋１）×（５０／１００）＝２
認証部１０５は、通信部１０４から送信された各鍵ＩＤの重み付けの合計値が閾値“２”以上であれば、認証成功と判定する。この場合、認証成功となる鍵ＩＤの組み合わせは、（１０１２３５）、（１０１２３５、２３４２１３）、（１０１２３５、４０５５２５８）、（１０１２３５、２３４２１３、４０５５２５８）、（２３４２１３、４０５５２５８）の５組である。なお、認証部１０５は、通信部１０４から送信された各鍵ＩＤの重み付けの合計値が閾値“２”未満の場合、認証不成功と判定する。
【００５３】
以上のように、第１の実施形態に係る錠制御システムによれば、ユーザは鍵部１０３の重み付けを行うことなく、各々の鍵部１０３の鍵ＩＤの登録回数に応じて、各々の鍵部１０３の重み付けを行うことができる。
【００５４】
ここで、錠制御部１０２へ登録した回数が多い鍵部１０３は、ユーザが常に持っている鍵、すなわち無くしにくい鍵と考えられる。そこで、錠制御システムは、錠制御部１０２へ登録した回数が多い鍵部１０３に対して大きな重み付けを与えることによって、その鍵部１０３単体には通常の鍵の機能（単体で開錠できる機能）を与えている。
【００５５】
一方、錠制御部１０２へ登録した回数の少ない鍵部１０３は、ユーザは普段持っていない鍵、すなわち無くしやすい鍵と考えられる。そこで、錠制御システムは、錠制御部１０２へ登録した回数が少ない鍵部１０３に対して小さな重み付けを与えることによって、その鍵部１０３単体には通常の鍵の機能を与えていない。これにより、ユーザは、その鍵部１０３を落とした場合でも、他人に錠を開けられる心配をする必要がなくなる。また、ユーザは、鍵部１０３を落としても、予め設定しておいた閾値を超える数の鍵部１０３を落とさない限り、扉の錠部１０１を操作することができる。
【００５６】
また、錠制御システムは、鍵部１０３の数が非常に増えた場合であっても、鍵ＩＤの登録回数に応じて各々の鍵ＩＤの重み付けを自動的に行うことができる。これにより、ユーザは、鍵の重み付けの入力作業を行わなくて済み、利便性を損なうことなく安全性を向上させることができる。つまり、ユーザは、持ち歩く鍵部１０３の組み合わせを変えることにより、意識せずに錠部１０１を操作するための信号を変化させることができる。その結果、セキュリティレベルを向上させることができる。
【００５７】
さらに、錠制御システムは、鍵部１０３の重み付けを自動的に行うことができるので、ユーザの思い込みによって誤って鍵の重み付けがなされることを防止することができる。
【００５８】
［第２の実施形態］
つぎに、本発明の第２の実施形態について説明する。なお、第１の実施形態と同一の部位には同一の符号を付し、その詳細な説明は省略する。
【００５９】
図５は、本発明の第２の実施形態に係る錠制御システムの構成を示すブロック図である。錠制御システムは、第１の実施形態における鍵部１０３ａ，１０３ｂ，１０３ｃ、鍵ＩＤ組み合わせ登録部１０７、鍵重み付け制御部１０９の代わりに、それぞれ鍵部５０１ａ，５０１ｂ，５０１ｃ、データ登録部５０２、鍵ＩＤ登録回数データベース部５０３を備えている。なお、鍵部５０１ａ，５０１ｂ，５０１ｃのうち任意のものを示すときは、単に「鍵部５０１」とする。
【００６０】
鍵部５０１ａ，５０１ｂ，５０１ｃは、それぞれ無線機能を有すると共に、それぞれ固有の鍵ＩＤを記憶している。ここでは、鍵部５０１ａの鍵ＩＤは“１０１２３５”、鍵部５０１ｂの鍵ＩＤは“２３４２１３”、鍵部５０１ｃの鍵ＩＤは“４０５５２５８”とする。また、鍵部５０１ａ，５０１ｂ，５０１ｃは、各々の鍵ＩＤが錠制御部１０２に登録されたことを検知する毎に登録回数をカウントしたり、カウントした登録回数と鍵ＩＤとを錠制御部１０２へ報知する。
【００６１】
図６は、鍵部５０１の詳細な構成を示すブロック図である。鍵部５０１は、錠制御部１０２と通信を行う持つ通信部６０１と、鍵ＩＤを記憶するＩＤ記憶部６０２と、鍵ＩＤが錠制御部１０２に登録された登録回数をカウントする鍵ＩＤ登録回数カウンタ６０３と、鍵ＩＤが錠制御部１０２に登録されたことを検知する機能を持つ鍵ＩＤ登録検知部６０４と、を備えている。
【００６２】
通信部６０１は、ＩＤ記憶部６０２、鍵ＩＤ登録回数カウンタ６０３、鍵ＩＤ登録検知部６０４にぞれぞれ接続されている。通信部６０１は、錠制御部１０２からの要求又はユーザの操作に応じて、錠制御部１０２に対して、ＩＤ記憶部６０２に記憶された鍵ＩＤと、鍵ＩＤ登録回数カウンタ６０３に記憶された登録回数とを送信する。また、通信部６０１は、データ登録部５０２へ鍵ＩＤを登録したことを鍵ＩＤ登録検知部６０４に報知する。
【００６３】
ＩＤ記憶部６０２は、通信部６０１に接続されている。ＩＤ記憶部６０２は、通信部６０１からの要求により、内部に記憶している鍵ＩＤを通信部６０１へ送信する。
【００６４】
鍵ＩＤ登録回数カウンタ６０３は、通信部６０１と鍵ＩＤ登録検知部６０４とにそれぞれ接続されている。鍵ＩＤ登録回数カウンタ６０３は、鍵ＩＤ登録検知部６０４が鍵ＩＤの登録を検知すると、鍵ＩＤの登録回数を１つカウントアップする。また、鍵ＩＤ登録回数カウンタ６０３は、通信部６０１からの要求により、鍵ＩＤの登録回数を、通信部６０１に送信する。
【００６５】
鍵ＩＤ登録検知部６０４は、鍵ＩＤ登録回数カウンタ６０３と通信部６０１とに接続されている。鍵ＩＤ登録検知部６０４は、通信部６０１を監視しており、通信部６０１がデータ登録部５０２に鍵ＩＤを登録すること検知する。鍵ＩＤ登録検知部６０４は、鍵ＩＤが錠制御部１０２へ登録されたことを検知すると、検知したことを鍵ＩＤ登録回数カウンタ６０３へ報知する。
【００６６】
なお、鍵ＩＤが錠制御部１０２へ登録されたことを検知する手法は、特に限定されるものではない。例えば、登録時に、人手によってその旨を入力する手法をとってもよい。この場合、鍵ＩＤ登録検知部６０４は通信部６０１と接続されている必要はない。
【００６７】
データ登録部５０２は、鍵ＩＤ組み合わせ登録部１０７の機能に加えて、鍵部５０１の各々の登録回数を鍵ＩＤ登録回数データベース部５０３へ登録することができる。具体的には、データ登録部５０２は、鍵ＩＤ登録回数データベース部５０３と鍵ＩＤ組み合わせデータベース部１０６とにそれぞれ接続されている。データ登録部５０２は、鍵ＩＤ組み合わせデータベース部１０６に、受信した鍵ＩＤの組み合わせを記憶させる。また、データ登録部５０２は、鍵ＩＤの登録回数を受信すると、その登録回数を鍵ＩＤ登録回数データベース部５０３に記憶させる。
【００６８】
鍵ＩＤ登録回数データベース部５０３は、鍵ＩＤ登録回数データベース部２０１とほぼ同じ機能を有している。具体的には、鍵ＩＤ登録回数データベース部５０３は、データ登録部５０２と認証部１０５とに接続されている。鍵ＩＤ登録回数データベース部５０３は、データ登録部５０２から送信された鍵ＩＤの登録回数を記憶したり、認証部１０５からの要求に応じて、鍵ＩＤの登録回数を開示する。
【００６９】
以上のように構成された錠制御システムにおいて、各構成部は、次のように動作する。ここでは、第１の実施形態と異なる部分のみを説明する。
【００７０】
鍵部５０１内の鍵ＩＤ登録検知部６０４は、鍵ＩＤが通信部６０１を介して錠制御部１０２に登録されたか否かを絶えず監視している。鍵ＩＤ登録検知部６０４は、錠制御部１０２に鍵ＩＤが登録されたことを検知すると、鍵ＩＤ登録回数カウンタ６０３のカウント値を１つカウントアップする。
【００７１】
通信部６０１は、鍵ＩＤをデータ登録部５０２に送信するだけでなく、同時に、鍵ＩＤ登録回数カウンタ６０３のカウント値も錠制御部１０２のデータ登録部５０２に送信する。これにより、データ登録部５０２には、鍵ＩＤと共に鍵ＩＤ登録回数カウンタ６０３のカウント値も登録される。
【００７２】
つぎに、鍵部５０１ａ，５０１ｂ，５０１ｃのデータ登録時の動作を説明する。ここでは、例えば、鍵部５０１ａの鍵ＩＤ登録回数カウンタ６０３のカウント値を“２”、鍵部５０１ｂの鍵ＩＤ登録回数カウンタ６０３のカウント値を“１”、鍵部５０１ｃの鍵ＩＤ登録回数カウンタ６０３のカウント値を“１”とする。
【００７３】
鍵部５０１ａ，５０１ｂ，５０１ｃは、データ登録部５０２へ鍵ＩＤを登録する際に、同時にそれぞれの鍵ＩＤ登録回数カウンタ６０３のカウント値も登録する。これにより、鍵ＩＤ組み合わせデータベース部１０６には、図３に示すように、各々の鍵ＩＤが記憶される。また、鍵ＩＤ登録回数データベース部５０３には、図４に示すように、各々の鍵ＩＤと共に鍵ＩＤ登録回数カウンタ６０３のカウント値も記憶される。
【００７４】
そして、鍵部５０１ａ，５０１ｂ，５０１ｃは、登録終了後、鍵ＩＤ登録回数カウンタ６０３のカウント値を１つカウントアップする。
【００７５】
一方、認証部１０５は、鍵ＩＤ組み合わせデータベース部１０６と鍵ＩＤ登録回数デ―夕ベース部５０３の内容に基づいて、第１の実施形態と同様に、認証作業を行う。なお、その他の動作は、第１の実施形態とほぼ同様なので説明を省略する。
【００７６】
以上のように、第２の実施形態に係る錠制御システムによれば、鍵ＩＤが錠制御部１０２に登録された登録回数を鍵部５０１に記憶させることにより、第１の実施形態と同様の効果を得ることができる。
【００７７】
ここで、第１の実施形態に係る錠制御システムでは、１つの錠制御部１０２が、鍵部１０３の鍵ＩＤを登録した登録回数に基づいて、鍵部１０３の重み付けを設定していた。
【００７８】
これに対して、本実施形態に係る錠制御システムでは、鍵部５０１が、鍵ＩＤの登録回数を記憶するＩＤ記憶部６０２を有している。したがって、錠制御システムでは、複数の錠制御部１０２が存在する場合であっても、各錠制御部１０２は、鍵部５０１が鍵ＩＤを登録した登録回数に基づいて、鍵部５０１の重み付けを行うことができる。
【００７９】
また、第２の実施形態においては、鍵部５０１は、鍵ＩＤの登録回数を錠制御部１０２に送信する代わりに、登録回数に基づいて重み付けを算出し、この重み付けを錠制御部１０２に送信してもよい。これにより、錠制御部１０２の認証部１０５は、鍵部５０１（鍵ＩＤ）毎に重み付けを算出する手間を省くことができる。
【００８０】
なお、本発明は、上述した第１及び第２の実施の形態に限定されるものではなく、特許請求の範囲に記載された範囲内で設計上の変更をされたものにも適用可能であるのは勿論である。例えば、本発明は、第１及び第２の実施形態に係る錠制御システムを次のように設計変更したものに対しても適用可能である。
【００８１】
第１及び第２の実施形態では、認証部１０５は、鍵部１０３の登録回数をそのまま利用して鍵部１０３の重み付けを行った。その他、認証部１０５は、登録回数について１つ以上の閾値を設け、閾値ごとに重み付けを設定し、鍵部１０３の登録回数と閾値とを比較して、鍵部１０３の重み付けを設定してもよい。この場合、錠制御システムは、上述した実施形態と同等の効果を得ることができる。
【００８２】
第１及び第２の実施形態では、認証部１０５は、通信部１０４から送信された鍵ＩＤの重み付けの合計値が、登録された全部の鍵ＩＤの重み付けの合計値に対して５０％の値以上になったときに、認証成功と判定した。これに対して、その割合（５０％）、すなわち閾値を変更しても、上述した実施形態と効果を得ることができる。
【００８３】
第１及び第２の実施形態では、３つの鍵部１０３ａ，１０３ｂ，１０３ｃを例に挙げて説明したが、鍵部１０３の数は特に限定されるものではない。すなわち、鍵部１０３の数を増やしても、同じ仕組みで同等の効果を得ることができる。
【００８４】
第１及び第２の実施形態では、認証部１０５は、通信部１０４から送信された鍵ＩＤが１つだけでも、その鍵ＩＤの重み付けが所定の閾値を超えた場合は認証成功と判定していた。しかし、認証部１０５は、１つの鍵ＩＤの重み付けだけで所定の閾値を超えるような場合には、さらに少なくとも１つの鍵ＩＤが無いときは、認証失敗と判定してもよい。これにより、ユーザは、非常に重み付けが大きい鍵部１０３、すなわち落とす可能性が低い鍵部１０３を誤って落としてしまった場合でも、その鍵部１０３単体では錠部１０１を開けることができないので、更に安全性を向上させることができる。
【００８５】
第１及び第２の実施形態では、錠制御システムは、認証を行うために鍵ＩＤを利用していたが、鍵ＩＤを利用しなくても、鍵部１０３固有のデータを利用すれば同等の効果を得ることができる。
【００８６】
また、本発明の錠制御システムは、家屋の扉の施錠、開錠以外にも金庫や自動車のセキュリティー、あるいはコンピュータの不正使用防止等のためのロック機構にも適用することができる。そしてその際の錠は電子ロック等の物理的なロック機構以外に、不正ユーザのアクセスを制限するようなソフトウェア的なロック機構であってもよい。
【００８７】
【発明の効果】
本発明に係る錠制御システム及び錠制御装置は、受信された鍵装置の鍵固有信号に対応する重み付けを重み付け記憶手段から読み出して、読み出した重み付けに基づいて認証成功か否かを判定し、認証成功と判定されたときに錠部の状態を施錠状態から開錠状態に、又は開錠状態から施錠状態に操作することにより、複数の鍵装置が存在する場合であっても、各鍵装置の重要度に応じて重み付けを変えることで、セキュリティレベルを向上させることができる。
【００８８】
本発明に係る鍵装置は、鍵固有信号と、固有信号が登録された登録回数と、を錠制御装置に送信することにより、錠制御装置が各々の鍵装置の固有信号が登録された回数を計数することを省略することができ、錠制御装置の処理の負担を低減することができる。
【図面の簡単な説明】
【図１】本発明の第１の実施形態に係る錠制御システムの構成を示すブロック図である。
【図２】鍵重み付け制御部の詳細な構成を示すブロック図である。
【図３】鍵ＩＤ組み合わせデータベース部に登録されている鍵ＩＤを示す図である。
【図４】鍵ＩＤ登録回数データベース部に登録されている鍵部の各々の登録回数を示す図である。
【図５】本発明の第２の実施形態に係る錠制御システムの構成を示すブロック図である。
【図６】鍵部の詳細な構成を示すブロック図である。
【符号の説明】
１０１  錠部
１０２  錠制御部
１０３、５０１  鍵部
１０４  通信部
１０５  認証部
１０６  鍵ＩＤ組み合わせデータベース部
１０７  鍵ＩＤ組み合わせ登録部
１０８  錠操作部
１０９  鍵重み付け制御部
２０１  鍵ＩＤ登録回数データベース部
２０２  鍵ＩＤ登録回数カウント部
５０２  データ登録部
５０３  鍵ＩＤ登録回数データベース部
【図１】
2005042350.tif 000003
【図２】
2005042350.tif 000004
【図３】
2005042350.tif 000005
【図４】
2005042350.tif 000006
【図５】
2005042350.tif 000007
【図６】
2005042350.tif 000008